(57)【要約】【課題】親端末で入力された情報に基づいて、該親端末とグループをなす子端末へ該子端末の位置情報に対応する防災地図を配信する装置及びその方法を提供する。【解決手段】ユーザの所持する親端末とメンバの所持する子端末とから構成されるグループであって、該子端末と、該子端末に対応する位置とを関連付けて保存するグループ情報保存部を備え、災害に関する該ユーザの入力を受け付け、該ユーザの入力に対応する災害情報に関連付けられた防災地図を特定し、該子端末に対応する位置と該特定された防災地図とに基づいて、該子端末に対応する子端末用地図を生成し、該生成された子端末用地図を対応する子端末へ配信する。【選択図】図１
2015191321.tif 000002
【特許請求の範囲】
【請求項１】
ユーザの所持する親端末とメンバの所持する子端末とから構成されるグループであって、該子端末と、該子端末に対応する位置とを関連付けて保存するグループ情報保存部と、
災害に関する前記ユーザの入力を受け付ける入力受付部と、
前記ユーザの入力に対応する災害情報に関連付けられた防災地図を特定する防災地図特定部と、
前記子端末に対応する位置と前記特定された防災地図とに基づいて、該子端末に対応する子端末用地図を生成する子端末用地図生成部と、
前記生成された子端末用地図を対応する子端末へ配信する配信部と、
を備える、防災地図配信装置。
【請求項２】
災害に関するコンテンツ群から、所定条件を充足するコンテンツを抽出する抽出部と、
前記抽出されたコンテンツを前記親端末へ提供する提供部と、を備え、
前記入力受付部は、前記提供したコンテンツについて前記ユーザの選択を受け付ける、
請求項１に記載の防災地図配信装置。
【請求項３】
前記抽出されたコンテンツに対応するＧＵＩデータを生成する生成部、を備え、
前記提供部は、更に、前記抽出されたコンテンツに対応する前記生成されたＧＵＩデータを提供し、
前記入力受付部は、前記提供したＧＵＩデータに基づく前記ユーザの選択を受け付ける、
請求項２に記載の防災地図配信装置。
【請求項４】
前記配信部は、更に、前記ユーザが選択したコンテンツを配信する、
請求項２又は３に記載の防災地図配信装置。
【請求項５】
前記メンバが前記配信された子端末用地図にアクセスしたことを示すアクノリッジを前記親端末へ送信する送信部、
を備える、請求項１〜４のいずれか一項に記載の防災地図配信装置。
【請求項６】
ユーザの所持する親端末とメンバの所持する子端末とから構成されるグループであって、該子端末と、該子端末に対応する位置とを関連付けてグループ情報保存部へ保存するグループ情報保存ステップと、
入力受付部が、災害に関する前記ユーザの入力を受け付ける入力受付ステップと、
防災地図特定部が、前記ユーザの入力に対応する災害情報に関連付けられた防災地図を特定する防災地図特定ステップと、
子端末用地図生成部が、前記子端末に対応する位置と前記特定された防災地図とに基づいて、該子端末に対応する子端末用地図を生成する子端末用地図生成ステップと、
配信部が、前記生成された子端末用地図を対応する子端末へ配信する配信ステップと、
を備える、防災地図配信方法。
【請求項７】
抽出部が、災害に関するコンテンツ群から、所定条件を充足するコンテンツを抽出する抽出ステップと、
提供部が、前記抽出されたコンテンツを前記親端末へ提供する提供ステップと、を備え、
前記入力受付ステップでは、前記提供したコンテンツについて前記ユーザの選択を受け付ける、
請求項６に記載の防災地図配信方法。
【請求項８】
生成部が、前記抽出されたコンテンツに対応するＧＵＩデータを生成する生成ステップ、を備え、
前記提供ステップでは、更に、前記抽出されたコンテンツに対応する前記生成されたＧＵＩデータを提供し、
前記入力受付ステップでは、前記提供したＧＵＩデータに基づく前記ユーザの選択を受け付ける、
請求項７に記載の防災地図配信方法。
【請求項９】
前記配信ステップでは、更に、前記ユーザが選択したコンテンツを配信する、
請求項７又は８に記載の防災地図配信方法。
【請求項１０】
送信部が、前記メンバが前記配信された子端末用地図にアクセスしたことを示すアクノリッジを前記親端末へ送信する送信ステップ、
を備える、請求項６〜９のいずれか一項に記載の防災地図配信方法。
【請求項１１】
防災地図を配信するためのコンピュータプログラムであって、コンピュータを、
ユーザの所持する親端末とメンバの所持する子端末とから構成されるグループであって、該子端末と、該子端末に対応する位置とを関連付けて保存するグループ情報保存手段と、
災害に関する前記ユーザの入力を受け付ける入力受付手段と、
前記ユーザの入力に対応する災害情報に関連付けられた防災地図を特定する防災地図特定手段と、
前記子端末に対応する位置と前記特定された防災地図とに基づいて、該子端末に対応する子端末用地図を生成する子端末用地図生成手段と、
前記生成された子端末用地図を対応する子端末へ配信する配信手段、
として機能させる、コンピュータプログラム。
【請求項１２】
前記コンピュータを、更に、
災害に関するコンテンツ群から、所定条件を充足するコンテンツを抽出する抽出手段と、
前記抽出されたコンテンツを前記親端末へ提供する提供手段、として機能させ、
前記入力受付手段は、前記提供したコンテンツについて前記ユーザの選択を受け付ける、
請求項１１に記載のコンピュータプログラム。
【請求項１３】
前記コンピュータを、更に、
前記抽出されたコンテンツに対応するＧＵＩデータを生成する生成手段、として機能させ、
前記提供手段は、更に、前記抽出されたコンテンツに対応する前記生成されたＧＵＩデータを提供し、
前記入力受付手段は、前記提供したＧＵＩデータに基づく前記ユーザの選択を受け付ける、
請求項１２に記載のコンピュータプログラム。
【請求項１４】
前記配信手段は、更に、前記ユーザが選択したコンテンツを配信する、
請求項１２又は１３に記載のコンピュータプログラム。
【請求項１５】
前記コンピュータを、更に、
前記メンバが前記配信された子端末用地図にアクセスしたことを示すアクノリッジを前記親端末へ送信する送信手段、
として機能させる、請求項１１〜１４のいずれか一項に記載のコンピュータプログラム。
【請求項１６】
請求項１１〜請求項１５のいずれかに記載のコンピュータプログラムを記録する記録媒体。
【発明の詳細な説明】
【技術分野】
【０００１】
本発明は、親端末で入力された情報に基づいて、該親端末とグループをなす子端末へ該子端末の位置情報に対応する防災地図を配信する装置及びその方法に関する。
【背景技術】
【０００２】
近年、防災意識が高まる中、防災に関する情報を備えた防災地図が紙媒体や電子媒体として広く提供されている。このような防災地図は災害時に有用であるものの、ユーザが積極的に防災地図を取得するケースは稀であることから、ユーザが興味を示すタイミングで配布等されなければ、各種の災害が発生した際に被害を受けやすい場所や避難所についてユーザの意識に根付きにくい。
このような状況において、特許文献１では、災害発生の緊急放送を受信したとき、現在位置周辺の避難場所を検索し、該検索された避難場所までの経路を探索して表示する技術が開示されている。
本発明に関連する従来技術を開示する特許文献２又は３も参照されたい。
【先行技術文献】
【特許文献】
【０００３】
【特許文献１】特開２００８−５１５１５号公報
【特許文献２】特開２００８−２０３０３９号公報
【発明の概要】
【発明が解決しようとする課題】
【０００４】
本発明者らは、防災地図の閲覧頻度を向上させるべく鋭意検討を重ねてきた。その結果、以下のことに気が付いた。
ユーザの中には被災経験があるユーザや、防災意識の高いユーザがいる一方、被災経験に乏しく、また防災意識の低いユーザもいる。例えば、実際の被災経験や被災情報に触れる等して間接的に被災経験を持つ者、防災意識の高い者が多い大人世代に比べ、子供世代にはそのような経験を持つ者、また防災意識の高い者は多くない。このような状況に鑑み、本発明者らは、一のグループにおいて、防災意識の高い者が接した情報を他の者とシェアすることで、他の者の防災意識を効果的に向上させることができるものと考えた。例えば、グループとしての家族の構成員のうち、親がアクセスした災害情報を子供に展開することで子供の防災意識が向上することが挙げられる。
そして、特には、親がアクセスした災害情報の種別に応じた防災地図から、子供の位置に応じた地域に関して生成された防災地図を提供されれば、子供は自身の周辺地域の地図であるため、被害を受けやすい場所や避難場所などを把握することが容易であり、興味を持つことができるのではないかと考えた。
【課題を解決するための手段】
【０００５】
この発明は上述の課題に鑑みてなされたものであり、その第１の局面は次のように規定される。即ち、
ユーザの所持する親端末とメンバの所持する子端末とから構成されるグループであって、該子端末と、該子端末に対応する位置とを関連付けて保存するグループ情報保存部と、
災害に関する前記ユーザの入力を受け付ける入力受付部と、
前記ユーザの入力に対応する災害情報に関連付けられた防災地図を特定する防災地図特定部と、
前記子端末に対応する位置と前記特定された防災地図とに基づいて、該子端末に対応する子端末用地図を生成する子端末用地図生成部と、
前記生成された子端末用地図を対応する子端末へ配信する配信部と、
を備える、防災地図配信装置。
【０００６】
このように規定される第１の局面の防災地図配信装置によれば、親端末を所持するユーザの災害に関する入力に基づいて、該入力された災害の種別に対応した防災地図を特定し、該防災地図のうち子端末の位置周辺の地図を子端末用地図として生成し、該生成された子端末用地図を該子端末へ配信する。子端末を所持するメンバに対して、該メンバ自身の周辺地域についての防災地図を提供することができるため、該メンバは該周辺地域の土地勘等と併せて被害を受けやすい場所や避難場所の位置を把握することが容易となる。当該装置によれば、グループの構成員であるユーザからのシェア情報という側面から、普段縁遠くなりがちな防災地図であっても子端末を所持するメンバに受け入れられやすく、また、ユーザの防災意識に基づく入力を契機に子端末へ防災地図が展開されるという側面から、メンバがユーザの防災意識を共有することができる。したがって、グループ全体の防災意識を効果的に向上させることができる。
ここで、防災地図としては、津波や大雨、台風等の災害により被害を被ると予想される被害エリアを地図化したハザードマップや一時避難場所や避難所の位置情報等が示された避難所マップ等が挙げられる。
【０００７】
この発明の第２の局面は次のように規定される。即ち、
第１の局面に規定の防災地図配信装置において、災害に関するコンテンツ群から、所定条件を充足するコンテンツを抽出する抽出部と、
前記抽出されたコンテンツを前記親端末へ提供する提供部と、を備え、
前記入力受付部は、前記提供したコンテンツについて前記ユーザの選択を受け付ける。
このように規定される第２の局面の防災地図配信装置によれば、災害ニュース等のコンテンツ群からフィルタリングされたコンテンツをユーザに提供するため、ユーザは優先度の高い限られたコンテンツに接することができ、コンテンツ選択の際のユーザの時間及び手間を軽減することができる。
また、配信部は、更に、前記ユーザが選択したコンテンツを配信することとしても良い（第４の局面）。このようにユーザが閲覧したコンテンツを併せて子端末メンバへ配信することで、ユーザが興味を持ったコンテンツをメンバと共有することができ、メンバの防災意識向上に役立つ。
【０００８】
この発明の第３の局面は次のように規定される。
第２の局面に規定の防災地図配信装置において、前記抽出されたコンテンツに対応するＧＵＩデータを生成する生成部、を備え、
前記提供部は、更に、前記抽出されたコンテンツに対応する前記生成されたＧＵＩデータを提供し、
前記入力受付部は、前記提供したＧＵＩデータに基づく前記ユーザの選択を受け付ける。
このように規定される第３の局面の防災地図配信装置によれば、コンテンツに対応するＧＵＩデータを生成し、該ＧＵＩに基づいてユーザの選択を受け付けることができる。ＧＵＩを用いることで視認性、操作性が向上する。
ＧＵＩ（Ｇｒａｐｈｉｃａｌ Ｕｓｅｒ Ｉｎｔｅｒｆａｃｅ）とは、ユーザに対して情報を表示する際にグラフィックを用いたユーザインターフェースであって、ユーザの操作をマウス等でクリックすることで可能とするものをいう。
【０００９】
この発明の第５の局面は次のように規定されている。
第５の局面に規定の防災地図配信装置において、前記メンバが前記配信された子端末地図にアクセスしたことを示すアクノリッジを前記親端末へ送信する送信部、を備える。
このように規定される第５の局面の防災装置によれば、メンバが子端末用地図へアクセスしたことをユーザへ報知するアクノリッジ機能を備えるため、ユーザの安心度を高めることができる。
【００１０】
また、この発明の第６の局面は次のように規定される。即ち、
ユーザの所持する親端末とメンバの所持する子端末とから構成されるグループであって、該子端末と、該子端末に対応する位置とを関連付けてグループ情報保存部へ保存するグループ情報保存ステップと、
入力受付部が、災害に関する前記ユーザの入力を受け付ける入力受付ステップと、
防災地図特定部が、前記ユーザの入力に対応する災害情報に関連付けられた防災地図を特定する防災地図特定ステップと、
子端末用地図生成部が、前記子端末に対応する位置と前記特定された防災地図とに基づいて、該子端末に対応する子端末用地図を生成する子端末用地図生成ステップと、
配信部が、前記生成された子端末用地図を対応する子端末へ配信する配信ステップと、
を備える、防災地図配信方法。
このように規定される第６の局面の発明によれば、第１の局面と同等の効果を奏する。
【００１１】
この発明の第７の局面は次のように規定される。即ち、
第６の局面に規定の方法において、抽出部が、災害に関するコンテンツ群から、所定条件を充足するコンテンツを抽出する抽出ステップと、
提供部が、前記抽出されたコンテンツを前記親端末へ提供する提供ステップと、を備え、
前記入力受付ステップでは、前記提供したコンテンツについて前記ユーザの選択を受け付ける。
このように規定される第７の局面の発明によれば、第２の局面と同等の効果を奏する。
【００１２】
この発明の第８の局面は次のように規定される。即ち、
第７の局面に規定の方法において、生成部が、前記抽出されたコンテンツに対応するＧＵＩデータを生成する生成ステップ、を備え、
前記提供ステップでは、更に、前記抽出されたコンテンツに対応する前記生成されたＧＵＩデータを提供し、
前記入力受付ステップでは、前記提供したＧＵＩデータに基づく前記ユーザの選択を受け付ける。
このように規定される第８の局面の発明によれば、第３の局面と同等の効果を奏する。
【００１３】
この発明の第９の局面は次のように規定される。即ち、
第７又は第８の局面に規定の方法において、前記配信ステップでは、更に、前記ユーザが選択したコンテンツを配信する。
このように規定される第９の局面の発明によれば、第４の局面と同等の効果を奏する。
【００１４】
この発明の第１０の局面は次のように規定される。即ち、
第６〜第９のいずれかの局面に規定の方法において、送信部が、前記メンバが前記配信された子端末用地図にアクセスしたことを示すアクノリッジを前記親端末へ送信する送信ステップ、を備える。
このように規定される第１０の局面の発明によれば、第５の局面と同等の効果を奏する。
【００１５】
更に、この発明の第１１の局面は次のように規定される。即ち、
防災地図を配信するためのコンピュータプログラムであって、コンピュータを、
ユーザの所持する親端末とメンバの所持する子端末とから構成されるグループであって、該子端末と、該子端末に対応する位置とを関連付けて保存するグループ情報保存手段と、
災害に関する前記ユーザの入力を受け付ける入力受付手段と、
前記ユーザの入力に対応する災害情報に関連付けられた防災地図を特定する防災地図特定手段と、
前記子端末に対応する位置と前記特定された防災地図とに基づいて、該子端末に対応する子端末用地図を生成する子端末用地図生成手段と、
前記生成された子端末用地図を対応する子端末へ配信する配信手段、
として機能させる、コンピュータプログラム。
このように規定される第１１の局面の発明によれば、第１の局面と同等の効果を奏する。
【００１６】
この発明の第１２の局面は次のように規定される。即ち、
第１１の局面に規定のコンピュータプログラムにおいて、前記コンピュータを、更に、
災害に関するコンテンツ群から、所定条件を充足するコンテンツを抽出する抽出手段と、
前記抽出されたコンテンツを前記親端末へ提供する提供手段、として機能させ、
前記入力受付手段は、前記提供したコンテンツについて前記ユーザの選択を受け付ける。
このように規定される第１２の局面の発明によれば、第２の局面と同等の効果を奏する。
【００１７】
この発明の第１３の局面は次のように規定される。即ち、
第１２の局面に規定のコンピュータプログラムにおいて、前記コンピュータを、更に、
前記抽出されたコンテンツに対応するＧＵＩデータを生成する生成手段、として機能させ、
前記提供手段は、更に、前記抽出されたコンテンツに対応する前記生成されたＧＵＩデータを提供し、
前記入力受付手段は、前記提供したＧＵＩデータに基づく前記ユーザの選択を受け付ける。
このように規定される第１３の局面の発明によれば、第３の局面と同等の効果を奏する。
【００１８】
この発明の第１４の局面は次のように規定される。即ち、
第１２又は第１３の局面に規定のコンピュータプログラムにおいて、前記配信手段は、更に、前記ユーザが選択したコンテンツを配信する。
このように規定される第１４の局面の発明によれば、第４の局面と同等の効果を奏する。
【００１９】
この発明の第１５の局面は次のように規定される。即ち、
第１１〜第１４のいずれかの局面に規定のコンピュータプログラムにおいて、前記コンピュータを、更に、
前記メンバが前記配信された子端末用地図にアクセスしたことを示すアクノリッジを前記親端末へ送信する送信手段、として機能させる。
このように規定される第１５の局面の発明によれば、第５の局面と同等の効果を奏する。
【００２０】
第１１〜第１５のいずれかの局面に規定されるコンピュータプログラムを記録する記録媒体が第１６の局面として規定される。
【図面の簡単な説明】
【００２１】
【図１】図１は、本発明の実施の形態の防災地図配信装置１の構成を示すブロック図である。
【図２】図２は、（Ａ）防災地図情報保存部３に保存される防災地図テーブルの一例であり、（Ｂ）グループ情報保存部５に保存されるグループ情報テーブルの一例である。
【図３】図３は、本発明の実施の形態の防災地図配信装置１の動作の一例を示すフローチャートである。
【図４】図４は、本発明の他の実施の形態の防災地図配信装置２１の構成を示すブロック図である。
【図５】図５は、本発明の実施例の防災地図配信装置５１の構成を示すブロック図である。
【図６】図６は、本発明の実施例の防災地図配信装置５１の動作の一例を示すフローチャートである。
【発明を実施するための形態】
【００２２】
この発明の実施の形態の防災地図配信装置を説明する。
図１に、防災地図配信装置１の概略構成を示す。
図１に示すように、この防災地図配信装置１は、防災地図保存部３、グループ情報保存部５、入力受付部７、防災地図特定部９、子端末用地図生成部１１及び配信部１３を備えている。
【００２３】
防災地図保存部３には、防災地図が災害情報（災害種別ともいう）と関連付けて保存されている。当該防災地図としては、災害による被害を予測してその被害エリアを地図化したハザードマップや一時避難場所や避難所等が示された避難所マップ等が挙げられる。当該ハザードマップとしては、国土交通省や地方自治体から提供される津波ハザードマップ、洪水ハザードマップ、内水ハザードマップ、高潮ハザードマップ、土砂災害ハザードマップ、火山ハザードマップ、地震ハザードマップ等が挙げられる。当該避難所マップとしては、災害種別に応じて適した避難所が示された避難所マップが挙げられる。これらの防災地図は、都道府県等地理的に広い範囲ごとに区切られていても良く、また、市区町村図、市街図等、あるいは更に異なる縮尺サイズによる多数のメッシュデータを階層化して構成したメッシュファイルとして保存されていても良い。防災情報保存部３に保存される情報として、災害種別「津波」に対して防災地図「津波ハザードマップ」等が挙げられる（図２（Ａ）参照）。災害種別に対して保存される防災地図は、一であっても良く二以上であっても良い。例えば、災害種別「津波」に対して、防災地図「津波ハザードマップ」及び「津波時避難所マップ」が保存されていても良い。
【００２４】
グループ情報保存部５には、ユーザの所持する親端末とメンバの所持する子端末とから構成されるグループであって、該子端末と、該子端末に対応する位置とが関連付けて保存されている。例えば、親端末Ｐと、子端末Ｃ１及びＣ２とに基づいてグループが構成されている。子端末Ｃ１には位置情報Ａが、子端末Ｃ２には位置情報Ｂが夫々関連付けて保存されている（図２（Ｂ）参照）。当該子端末の位置情報としては、子端末の通常存在する位置や生活圏を示す位置情報や現在位置情報が挙げられ、子端末に備えられたＧＰＳ装置等により特定されたり、親端末あるいは子端末により手動で入力されることによって特定されうる。また、子端末は通信可能な端末装置であれば良い。このような端末装置としては、スマートフォンや車載ナビゲーション装置等の移動体端末装置、テレビや備え置いて使用することを前提とするパーソナルコンピュータ等が挙げられる。
入力受付部７は、災害に関する上記ユーザの入力を受け付ける。例えば、ユーザが親端末にテキストで「津波」と入力することにより、該入力された情報が通信ネットワークを介して入力受付部７に受け付けられる。
防災地図特定部９は、入力受付部７で受け付けられた情報に対応する災害情報に関連付けられた防災地図を特定する。防災地図特定部９は、入力受付部７で「津波」の情報を受け付けたとき、防災地図保存部３に保存された災害情報「津波」に対応する防災地図「津波ハザードマップ」を特定する。
【００２５】
子端末用地図生成部１１は、ユーザのメンバである子端末に対応する位置と、防災地図特定部９で特定された防災地図とに基づいて、該子端末に対応する子端末用地図を生成する。当該生成の方法としては、子端末の位置を含む防災地図から該子端末位置を中心に所定範囲内の領域を切り取って子端末用地図とすることができる。他の例として、例えば、防災地図保存部３に、市区町村図に区分けされた防災地図が保存されている場合には、子端末位置を含む市区町村の防災地図を子端末用地図とすることができる。例えば、子端末Ｃ１用の防災地図として、上記津波ハザードマップのうち、子端末Ｃ１の位置情報Ａを中心とする所定範囲の領域を切り取って子端末Ｃ１用地図ＭＡとすることができる。
配信部１３は、子端末用地図生成部１１で生成された子端末用地図を対応する子端末へ配信する。例えば、子端末Ｃ１用に生成された子端末Ｃ１用地図ＭＡを子端末Ｃ１へ、子端末Ｃ２用に生成された子端末Ｃ２用地図ＭＢを子端末Ｃ２へ配信する。このように配信された子端末用地図は、子端末において適宜ダウンロードしておくこととしても良い。また、当該装置１がユーザからメンバへのメッセージを受け付けることが可能な場合には、配信部１３は、該メッセージを併せて子端末へ配信することとしても良い。
この例において、装置１は防災地図保存部３を備えているが、防災地図保存部３を備えることなく、防災地図特定部９は外部の防災地図サーバを参照して防災地図を特定することとしても良い。
【００２６】
図３を用いて、図１に示す防災地図配信装置１の動作の一例を説明する。
まず、ステップ１では、入力受付部７は、通信ネットワークを介してユーザの親端末Ｐにおける入力「津波」を受け付ける。このとき、ユーザの親端末Ｐに関する情報を併せて受け付ける。
ステップ３では、防災地図特定部９は、防災地図保存部３に保存される防災地図のうち、ステップ１で受け付けた「津波」に関連付けられた防災地図を特定する。ステップ３では、防災地図のうち津波に関連付けられた「津波ハザードマップ」を特定する。
ステップ５では、子端末用地図生成部１１は、グループ情報保存部５を参照して、ステップ１の親端末Ｐのメンバである子端末Ｃｎをその位置情報Ｎとともに読み出す。
ステップ７では、子端末用地図生成部１１は、ステップ５で読み出された子端末Ｃｎの位置情報Ｎに基づいて、ステップ３の防災地図「津波ハザードマップ」から子端末Ｃｎ用地図Ｍｎを生成する。
ステップ９では、ステップ７で生成された子端末Ｃｎ用地図Ｍｎを子端末Ｃｎへ配信する。
ユーザの親端末Ｐのメンバである子端末Ｃｎに続く子端末Ｃｎ＋１について、ステップ５〜９を実行する（ステップ１１、１３）。
【００２７】
図４に、他の実施の形態の防災地図配信装置２１を示す。図４において、図１と同一の要素には同一の符号を付して、その説明を部分的に省略する。
図４に示すのは、災害に関するコンテンツ群から所定条件を充足するコンテンツを親端末に提供することにより、親端末が該コンテンツを選択することを許容する防災地図配信装置２１である。すなわち、当該装置２１は、図１に示す装置１において、コンテンツ群保存部２３、抽出部２５及び提供部２７を更に備え、入力受付部７に代えて入力受付部２９を備えている。
【００２８】
コンテンツ群保存部２３には、災害に関する複数のコンテンツの集合であるコンテンツ群が保存されている。例えば、災害に関するコンテンツとして、津波が発生した旨のニュース等が挙げられる。当該コンテンツは、例えば、ニュースサイトの記事等をダウンロードしたものとすることができる。当該コンテンツは、例えばテキスト形式で保存されるが、該記事に関連する画像を含んでいても良い。
抽出部２５は、コンテンツ群保存部２３から所定条件を充足するコンテンツを抽出する。当該抽出の方法としては、例えば、該コンテンツのテキスト中に、予め定められたキーワードが含まれているコンテンツを抽出することができる。当該キーワードとしては、例えば、「津波」、「地震」等災害に関するものであって、防災地図保存部３に保存された災害種別に対応するキーワードが挙げられる。
【００２９】
提供部２７は、抽出部２５で抽出されたコンテンツを上記ユーザの親端末Ｐへ提供する。当該提供の方法としては、特に限定されないが、該当コンテンツの全部あるいはその一部のテキストを配信することとすることができる。また、抽出されたコンテンツのＵＲＬや、抽出されたコンテンツに対応するキーワード、タイトルを提供することとしても良い。ユーザの親端末は、当該提供される内容を受信し、表示画面等へ出力させる。
入力受付部２９は、提供部２７で提供したコンテンツについて上記ユーザの選択を受け付ける。
この装置２１において、抽出部２５で抽出されたコンテンツに対応するＧＵＩデータを生成する生成部を備えることとしても良い。当該ＧＵＩデータは、当該コンテンツに対応する防災地図をメンバに配信することを希望する旨のデータとすることができる。当該ＧＵＩデータの具体例としては、提供されるコンテンツが親端末において表示される際に、表示されるコンテンツの上部、後尾など周辺に「シェアする」、「共有する」、「展開する」等のボタンとして表示されるようなＧＵＩデータが挙げられる。生成部を備えた装置において、提供部は、上記コンテンツと、該コンテンツに対応するＧＵＩデータを提供し、入力受付部は、提供したＧＵＩデータに基づくユーザの選択を受け付ける。
【００３０】
図５に、実施例の防災地図配信装置５１を示す。図５において、図１及び図４と同一の要素には同一の符号を付して、その説明を部分的に省略する。
図５に示すのは、子端末に配信された防災地図に、該子端末を所持するメンバがアクセスしたとき、該アクセスされたことを親端末ユーザに報知可能な防災地図配信装置５１である。すなわち、当該装置５１は、制御部５１０、メモリ部５１１、インターフェース部５１２、通信部５１３、防災地図保存部３、グループ情報保存部５、コンテンツ群保存部２３、抽出部２５、提供部２７、入力受付部２９、防災地図特定部９、子端末用地図生成部１１、配信部１３及び送信部５１５を備えている。
【００３１】
制御部５１０はＣＰＵ、バッファメモリその他の装置を備えたコンピュータ装置であり、防災地図配信装置５１を構成する他の要素を制御する。
メモリ部５１１にはコンピュータプログラムが保存され、このコンピュータプログラムはコンピュータ装置である制御部５１０に読み込まれて、これを機能させる。このコンピュータプログラムは、防災地図配信装置の記憶装置としての内蔵ハードディスク又は内蔵メモリ、防災地図配信装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
インターフェース部５１２は防災地図配信装置５１を無線ネットワーク等へ連結させる。
通信部５１３は、各種情報を親端末、子端末へ送信し、また、各種情報を親端末、子端末から受信する。
送信部５１５は、メンバが配信された子端末用地図にアクセスしたことを示すアクノリッジを親端末へ送信する。
【００３２】
図６を用いて、図５に示す防災地図配信装置５１の動作の一例を説明する。
まず、ステップ２１では、抽出部２５は、コンテンツ群保存部２３から災害に関するコンテンツを抽出する。災害に関するコンテンツとして、津波に関するニュース、地震に関するニュース等が抽出される。
ステップ２３では、提供部２７は、ステップ２１で抽出されたコンテンツを親端末Ｐへ提供する。
ステップ１０１では、親端末Ｐは、ステップ２３で提供されるコンテンツを受信し、表示画面に表示する。
ステップ１０３では、親端末Ｐは、ステップ１０１で受信、表示されたコンテンツから、親端末ユーザの所望のコンテンツの選択を受け付け、該選択結果を防災地図配信装置５１へ送信する。この例において、親端末Ｐは、津波に関するコンテンツの選択を受け付け、選択結果として「津波」を送信したものとする。親端末Ｐは、該選択結果を送信する際、親端末Ｐに関する情報を併せて送信する。
【００３３】
ステップ２５では、入力受付部２９は、ステップ１０３で送信された選択結果「津波」を受信し、該選択結果「津波」の入力を受け付ける。
ステップ２７では、防災地図特定部９は、防災地図保存部３に保存された防災地図から、ステップ２５の入力結果「津波」に関連付けられた防災地図を特定する。ステップ２７では、防災地図のうち津波に関連付けられた「津波ハザードマップ」が特定される。
ステップ２９では、子端末用地図生成部１１は、グループ情報保存部５を参照して、ステップ２３の親端末Ｐのメンバである子端末Ｃ１をその位置情報Ａとともに読み出す。
ステップ３１では、子端末用地図生成部１１は、ステップ２９で読み出された子端末Ｃ１の位置情報Ａに基づいて、ステップ２７の防災地図「津波ハザードマップ」から子端末Ｃ１用地図ＭＡを生成する。
ステップ３３では、ステップ３１で生成された子端末Ｃ１用地図ＭＡを子端末Ｃ１へ配信する。子端末Ｃ１は、ステップ３３で配信された子端末Ｃ１用地図ＭＡを受信する（ステップ２０１）。
子端末Ｃ１において、ステップ２０１で受信した子端末Ｃ１用地図ＭＡにアクセスされたとき（ステップ２０３：Ｙｅｓ）、該アクセスされたことを示すアクノリッジ情報を防災地図配信装置５１へ送信する（ステップ２０５）。
ステップ３５では、通信部５１２はステップ２０５のアクノリッジ情報を受信し、送信部５１５を介して親端末Ｐへ該アクノリッジ情報を送信する。親端末Ｐは、該アクノリッジ情報を受信し、表示する（ステップ１０５）。
この例では、親端末からの入力を契機に子端末へ防災地図が配信されるが、上記入力受付は、親端末からの入力に限らず、子端末からの入力を契機とするものであっても良い。例えば、子端末が所望のコンテンツを選択した場合には、親端末へ選択されたコンテンツに対応する防災地図が配信されることとなる。このように、グループを構成する端末であれば、予め決められた親端末に限らず、子端末が親端末の役割を担うこととしても良い。
【００３４】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００３５】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００３６】
１  ２１  ５１  防災地図配信装置
３  防災地図保存部
５  グループ情報保存部
７  ２９  入力受付部
９  防災地図特定部
１１  子端末用地図生成部
１３  配信部
２３  コンテンツ群保存部
２５  抽出部
２７  提供部
【図１】
2015191321.tif 000003
【図２】
2015191321.tif 000004
【図３】
2015191321.tif 000005
【図４】
2015191321.tif 000006
【図５】
2015191321.tif 000007
【図６】
2015191321.tif 000008